(57)【特許請求の範囲】
【請求項１】
ケースにブラケットの基端部を前後叉は左右方向へ回動可能に組付け、該ブラケットにレバーを上下方向へ回動可能に組付けたレバースイッチであって、前記ブラケットの先端部に前記ケースの上部カバーに前後叉は左右方向へ摺動可能に当接する摺動子を設け、かつ前記ケースの上部カバーに前記摺動子が嵌合して前記ブラケットの前後叉は左右方向の回動を阻止する嵌合孔を設けたことを特徴とするレバースイッチ。
【請求項２】
前記ブラケットの先端部に一対のアームを一体成形し、各アームの上面に前記摺動子を設けたことを特徴とする請求項１に記載のレバースイッチ。
【請求項３】
前記摺動子の上端面に２個の半球状の突起を設けたことを特徴とする請求項２に記載のレバースイッチ。
【発明の詳細な説明】
【０００１】
【発明の属する技術分野】
本発明はレバーの回動操作によりスイッチング作動を行うレバースイッチに関する。
【０００２】
【従来の技術】
レバースイッチの一形式として図６及び図７に示すように、ケース１１にブラケット１２の基端部を前後叉は左右方向（矢印Ａ方向）へ回動可能に組付けると共にブラケット１２の先端部に節度ピース１３と節度ピース１３をケース１１に設けた節度山１４に弾撥的に圧接する節度スプリング１５を装着し、このブラケット１２にレバー１６を上下方向（矢印Ｂ方向）へ回動可能に組付け、レバー１６の前後叉は左右方向の回動操作と上下方向の回動操作により別々にスイッチングを行うように構成したものが知られている。
【０００３】
【発明が解決しようとする課題】
上記した従来のレバースイッチでは、レバー１６の自重でブラケット１２の先端側が上方へ傾き、その結果ブラケット１１の回動軸１７，１８も傾いてケース１１との嵌合部にガタが生じ易い。
また、従来のレバースイッチにおいて、レバー１６が前後叉は左右方向には回動せず、上下方向にのみ回動するようにその仕様を変換する場合、ケース１１またはブラケット１２にレバー１６の前後叉は左右方向の回動を阻止するストッパを新たに設けなければならず、仕様の変更が面倒である。
上述した点に鑑み本発明の目的はブラケットの回動軸とケースの嵌合部とのガタをなくすことのでき、かつレバーが前後叉は左右方向には回動せず、上下方向にのみ回動するようにその仕様を簡単に変換できるレバースイッチを提供することにある。
【０００４】
【課題を解決するための手段】
請求項１に記載の発明はケースにブラケットの基端部を前後叉は左右方向へ回動可能に組付け、該ブラケットにレバーを上下方向へ回動可能に組付けたレバースイッチであって、前記ブラケットの先端部に前記ケースの上部カバーに前後叉は左右方向へ摺動可能に当接する摺動子を設け、かつ前記ケースの上部カバーに前記摺動子が嵌合して前記ブラケットの前後叉は左右方向の回動を阻止する嵌合孔を設けたことを特徴とする
請求項２に記載の発明は請求項１に記載のレバースイッチにおいて、前記ブラケットの先端部に一対のアームを一体成形し、各アームの上面に前記摺動子を設けたことを特徴とする。
請求項３に記載の発明は請求項２に記載のレバースイッチにおいて、前記摺動子の上端面に２個の半球状の突起を設けたことを特徴とする。
【０００５】
【発明の作用・効果】
請求項１に記載の発明によれば、ブラケットを前後叉は左右方向の回動軸と摺動子の２箇所でケースに支持するので、レバーの自重によってブラケットの先端部が上方へ傾くのを防止できる。従って、ブラケットの回動軸とケースの嵌合部間のガタをなくすことができる。
また、嵌合孔を設けた上部カバーとは別に嵌合孔を有しない上部カバーを用意すれば、嵌合孔を有しない上部カバーを装着した場合、レバーが上下方向だけでなく前後又は左右方向に回動し、嵌合孔を設けた上部カバーに交換すれば摺動子が嵌合孔に嵌合して、ブラケットの前後叉は左右方向の回動を阻止できる。従って、カバーを交換するだけで、レバーが上下方向だけでなく、前後又は左右方向に回動する仕様と、レバーが上下方向に回動するものの、前後叉は左右方向には回動しない仕様に簡単に変換できる。
請求項２に記載の発明によれば、ブラケットを前後叉は左右方向の回動軸と両アームに設けた摺動子でケースに支持するので、レバーのガタがより少なくなる。
請求項３に記載の発明によれば、摺動子の上端に半球状の突起を設けたので、ブラケットが上部カバーに沿ってより一層円滑に摺動する。
【０００６】
【発明の実施の形態】
以下に本発明を図面に基づき説明するに、図１及び図２には本発明の一実施形態に係るレバースイッチが示されている。当該レバースイッチ２０はケース２１とブラケット２２及びレバー２３を備えている。
ケース２１は上端面を開口したケース本体２４と、ケース本体２４の上端面開口を着脱可能に覆蓋する上部カバー２５から構成され、この上部カバー２５は後述する別の上部カバー２５Ａと交換可能である。
ブラケット２２の基端部の上下両面には軸部２６，２７が一体成形により凸設され、上側軸部２６が上部カバー２５に設けた通孔２８に回転可能に嵌合し、下側軸部２７がケース本体２４の底面に設けた有底孔２９に回転可能に嵌合している。ブラケット２２はこれら両軸部２６，２７を支点にして左右方向（矢印Ａ）に回動可能にケース２１に組付けられている。
ブラケット２２の先端部には前後一対のアーム３０が一体成形され、各アーム３０の先端面に形成した収納孔に節度ピース３１とこの節度ピース３１をケース本体２４に設けた節度山３２に摺動可能かつ弾撥的に圧接する節度スプリング３３が装着されている。
各アーム３０の上面には上部カバー２５に摺動可能に当接する摺動子３４が一体成形されている。各摺動子３４の上端面には摺動子３４が上部カバー２５に沿って円滑に摺動するように２個の半球状の突起３４ａが設けられ、両突起３４ａ間に有底孔３４ｂが形成されている。
また、ブラケット２２は基端面を開口した中空構造を有し、レバー２３が基端開口から中空部に挿入され、軸ピン３５で上下方向（矢印Ｂ）へ回動可能にブラケット２２に組付けられている。
レバー２３はパイプ構造を有しブラケット２２に挿入した内端面に摺動ピース３６と、この摺動ピース３６をブラケット２２の先端部内側に形成した円弧面３７に摺動可能に、かつ弾撥的に圧接させるコイルスプリング３８が装着されている。
上部カバー２５と交換可能な別の上部カバー２５Ａは図４及び図５に示すように、摺動子３４が嵌合する嵌合孔３９が内面に形成されている。
【０００７】
本実施形態に係るレバースイッチ２０の構造は以上の通りであって、レバー２３を左右方向へ回動操作するとブラケット２２が一体に回動して図示略のスイッチ、例えば方向指示器のスイッチが切替わり、節度ピース３１が節度山３２に圧接して切替位置に保持される。一方、レバー２３の上下方向への回動操作により、摺動ピース３６が円弧面３６に沿って進退し、図示略のスイッチ、例えばパッシングスイッチが切り替わる。
しかして本実施形態に係るレバースイッチ２０よれば、ブラケット２２が左右方向の回動軸部２６，２７と摺動子３４の２箇所でケース本体及び上部カバー２５に支持されるので、ブラケット２２がレバー２３の自重で上方へ傾いて軸部２６，２７と通孔２８、有底孔２９間にガタが生じるのを防止できる。
また、摺動子３４の上端に半球状の突起３４ａを設けたので、ブラケット２２が上部カバー２５に沿って円滑に摺動する。
さらに、図５に示すように、上部カバー２５を別の上部カバー２５Ａと交換することにより、摺動子３４の先端が別の上部カバー２５Ａの嵌合孔３９に嵌合し、ブラケット２２の左右方向の回動を阻止できる。従って、上部カバー２５を交換するだけで、レバー２３が上下方向に回動するものの、左右方向には回動しないレバースイッチに仕様を簡単に変換できる。
【図面の簡単な説明】
【図１】  本発明の一実施形態に係るレバースイッチを示す上部カバーを外した平面図である。
【図２】  図１の２−２線から切断した拡大断面図である。
【図３】  図１の３−３線から切断した断面図である。
【図４】  別の上部カバーを取付けたレバースイッチ示す平面図である。
【図５】  図４の５−５線から切断した断面図である。
【図６】  従来のレバースイッチを示す上部カバーを外した平面図である。
【図７】  図６の６−６線から切断した断面図である。
【符号の説明】
２０…レバースイッチ、２１…ケース、２２…ブラケット、２３…レバー、２４…ケース本体、２５，２５Ａ…上部カバー、３４…摺動子、３９…嵌合孔。
【図１】
0003798355.tif 000002
【図２】
0003798355.tif 000003
【図３】
0003798355.tif 000004
【図４】
0003798355.tif 000005
【図５】
0003798355.tif 000006
【図６】
0003798355.tif 000007
【図７】
0003798355.tif 000008